(57)【特許請求の範囲】
【請求項１】
軸筒と、該軸筒に収納された筆記体と、該軸筒の後端から突出するノック棒の前後動作により該筆記体のペン先を該軸筒の先端から出没させる繰り出し機構と、前記ペン先の出没動作に連動して該軸筒から出入りするクリップとを備えたノック式筆記具において、
前記クリップは、前記軸筒の後部に該軸筒の径方向に対して移動可能に外嵌支持される中空筒状の基部及び該基部の一端から延びる挟持部を有し、
前記基部の内筒面には突起部が形成され、
前記ノック棒は、前記クリップの基部及び該軸筒の筒内に挿通され且つその外周面に該基部の突起部が摺動自在に挿嵌され前記径方向に該クリップを移動させるガイド溝が形成され、
前記クリップは、前記ノック棒の前後動作にともなう前記突起部と前記ガイド溝との摺動により前記径方向に動作して前記挟持部が該軸筒に収納されるようになされていることを特徴とするノック式筆記具。
【請求項２】
前記軸筒は、外周面に凹状の収納部が形成されていると共に、後端に他の部分よりも外径が小さい縮径部が形成され、
前記基部は、前記軸筒の縮径部に、該軸筒の径方向を移動可能に外嵌され、
前記クリップの挟持部は、前記収納部に相対向して配置され、
前記クリップは、前記ノック棒の前後動作にともなう前記突起部と前記ガイド溝との摺動により前記径方向に動作して前記挟持部が前記軸筒の収納部に出入りするようになされていることを特徴とする請求項１に記載のノック式筆記具。
【発明の詳細な説明】
【技術分野】
【０００１】
本発明は、ノック式筆記具に関し、例えば、ペン先の出没動作に連動して軸筒からクリップを出し入りするノック式筆記具に関する。
【背景技術】
【０００２】
従来から、軸筒と、軸筒に収納された筆記体（ボールペンリフィール等）と、筆記体のペン先を軸筒の先端から出し入れ自在に出没させる繰り出し機構とを備えたノック式筆記具が知られている。このノック式筆記具では、軸筒にクリップが設けられたものが広く流通しており、このクリップにより、当該ノック式筆記具を衣服（ポケット）や手帳に挟むことできるようになっている。
【０００３】
しかし、上記のようなクリップが設けられたノック式筆記具は、軸筒からクリップの挟持部が飛び出した構成になっているため、作図等の筆記動作をするとき（特に軸を回転して筆記した場合）に、挟持部が邪魔になることがあった。また、前記挟持部を気にして筆記具を持つ位置に気を付けなければならず使い勝手が悪かった。
そして、上記の問題を解消するために、特許文献１には、ノック操作によりペン先を軸筒から突出させた際に、軸筒にクリップが収納されるようになっているノック式筆記具が提案されている。
【０００４】
ここで、図３９を参照しながら、特許文献１に記載されているノック式筆記具の構成を説明する。
なお、図３９は、従来技術のノック式筆記具の縦断面を示した模式図であり、図３９（ａ）は、筆記具１００の筆記体が収納された状態を示した模式図であり、図３９（ｂ）は、筆記具１００の筆記体のペン先が突出した状態を示した模式図である。
【０００５】
図示するように、筆記具１００は、軸筒１０１と、軸筒１０１に収納された筆記体１１９と、筆記体１１９のペン先１１９ａを軸筒１０１の先端から出し入れ自在に出没させるロータリカム機構２００と、クリップ３１４とを備えている。
なお、軸筒１０１は、前軸１０２と、前軸１０１の先端に取り付けられた先金１０７と、前軸１０２の後端に取り付けられた後軸１０３とにより構成されている。
【０００６】
また、ロータリカム機構２００は、後軸１０３の筒内に固定されたカム筒２１１と、そのカム筒２１１の筒内に摺動自在に挿入された第１摺動子２１０と、第１摺動子２１０の後端側に固定されたノック部材２０８と、第１摺動子２１０の先端に当接し且つカム筒２１１に対して摺動及び回転可能な回転子２１２と、その回転子２１２の前方に設けられ且つ前記カム筒２１１内を摺動可能になされた第２摺動子２１３と、第２摺動子２１３の前方に設けられた第３摺動子２１８とを備えている。
なお、ロータリカム機構２００は、ノック部材２０８を押圧することにより、ノック部材２０８の前端側に配置された回転子２１２が回転し、当該回転子２１２に設けられたカム部が、カム筒２１１の筒内に設けられたカム溝（図示せず）に係止されるように構成されている。
【０００７】
また、上記の第３摺動子２１８は、前記軸筒１０１の内部に摺動自在に収納されており、前端部で筆記体１１９を保持している。なお、筆記体１１９は、先金１０７との間に張設された前バネ（コイルスプリング）１２０によって後方に付勢されている。
また、第２摺動子２１３の前方には、クリップ３１４に連接して形成したクリップ部３１５が、第３摺動子２１８の後方縮径部２１８ｂを抱設するように配置されている。
【０００８】
上記のように構成された筆記具１００は、後端のノック部材２０８を押圧前進させると、第２摺動子２１３が回転子２１２と共に長手方向に前進する。また、第２摺動子２１３の前方には、斜面部２１３ａが形成されており、クリップ部３１５のノック部材側に形成した後方斜面部３１５ａ（図３９（ａ）参照）と当接し、クリップ３１４を軸筒１０１の軸心に向けて移動（軸筒１０１の径方向内側に移動）させる。
そして、第２摺動子２１３の長手方向への前進にともない、第３摺動子２１８が前進するため、筆記体ユニット１１９の先端に形成されたペン先１１９ａが先金１０７から突出した筆記状態（図３９（ｂ）に示す状態）になる。このとき、クリップ３１４は、軸筒１０１の軸心方向に移動して軸筒１０１の内部に収納されているため、筆記の邪魔になることがない。
【０００９】
また、前記筆記状態（図３９（ｂ）に示す状態）のときに、再度、前記ノック部材２０８を押圧前進させると、繰り出し機構２００の回転子２１２が回転する（カム筒２１１のカム溝（図示せず）の係止から解除されて回転する）。その結果、筆記状態の筆記体１１９は、前バネ１２０に付勢されて後退して、ペン先が先金１０７の内部に収納された収納状態（図３９（ａ）に示す状態）になる。
また、筆記体１１９の後退にともない第３摺動子２１８も後退するようになるが、このとき、第３摺動子２１８の後方に形成した斜面部（図示せず）が、クリップ部３１５のペン先側に形成した前方斜面部３１５ｂ（図３９（ｂ）参照）を押圧するため、前記クリップ３１４は軸筒１０１の軸心方向から離隔する（図３９（ａ）に示すように、クリップ３１４が軸筒１０１の径方向外側に移動して、軸筒１０１の外部に飛び出した状態になる）。これにより、軸筒１０１にペン先に収納されると共に、軸筒１０１からクリップ３１４が突出するため、クリップ３１４を利用できるようになる。
【先行技術文献】
【特許文献】
【００１０】
【特許文献１】特開２００２−１６６６９４号公報
【発明の概要】
【発明が解決しようとする課題】
【００１１】
しかしながら、上述した従来技術のノック式筆記具（図３９参照）は、以下に示す技術的課題を有している。
具体的には、従来技術のノック式筆記具は、部品構成が複雑であると共に、「クリップを収納するための機構」及び「繰り出し機構」が筆記具全体のなかで大きな割合を占めるため、筆記体を小さなものにしないと、最適な大きさの筆記具を得ることができないという技術的課題を有している。
例えば、ノック式筆記具がボールペンである場合（筆記体がボールペンリフィールである場合）、従来技術の構成によれば、インク充填量が少ない筆記体にしないと、最適な大きさの筆記具を得ることができなかった。
【００１２】
本発明は、上記技術的課題を解決するためになされたものであり、本発明の目的は、ペン先の出没動作にともない軸筒からクリップが出し入れされるノック式筆記具であって、長手方向の長さ寸法が大きい筆記体を搭載できるノック式筆記具を提供することにある。
【課題を解決するための手段】
【００１３】
上記課題を解決するためになされた本発明は、軸筒と、該軸筒に収納された筆記体と、該軸筒の後端から突出するノック棒の前後動作により該筆記体のペン先を該軸筒の先端から出没させる繰り出し機構と、前記ペン先の出没動作に連動して該軸筒から出入りするクリップとを備えたノック式筆記具において、前記クリップは、前記軸筒の後部に該軸筒の径方向に対して移動可能に外嵌支持される中空筒状の基部及び該基部の一端から延びる挟持部を有し、前記基部の内筒面には突起部が形成され、前記ノック棒は、前記クリップの基部及び該軸筒の筒内に挿通され且つその外周面に該基部の突起部が摺動自在に挿嵌され前記径方向に該クリップを移動させるガイド溝が形成され、前記クリップは、前記ノック棒の前後動作にともなう前記突起部と前記ガイド溝との摺動により前記径方向に動作して前記挟持部が該軸筒に収納されるようになされていることを特徴としている。
【００１４】
このように、本発明のノック式筆記具は、その後端側に設けた簡単な構成（クリップを構成する基部の突起部及びノック棒のガイド溝）により、クリップの挟持部を軸筒に収納したり、軸筒から突出させたりできるようにしている。
すなわち、本発明によれば、上述した従来技術のノック式筆記具（図３９参照）と比べて、クリップを軸筒から出し入れさせるための構成を小さくなすことができるため、軸筒に所望の大きさの筆記体を収納することが可能になる。
したがって、本発明によれば、例えば、筆記体がボールペンリフィールである場合に、インク充填量の多い比較的長い筆記体を搭載することが可能になる。
【００１５】
また、前記軸筒は、後端に他の部分よりも外径が小さい縮径部が形成されていると共に、その外周面に凹状の収納部が形成され、前記基部は、前記軸筒の縮径部に、該軸筒の径方向を移動可能に外嵌され、前記クリップの挟持部は、前記収納部に相対向して配置され、前記クリップは、前記ノック棒の前後動作にともなう前記突起部と前記ガイド溝との摺動により前記径方向に動作して前記挟持部が前記軸筒の収納部に出入りするようになされていることが望ましい。
【００１６】
上記構成によれば、上述した従来技術のノック式筆器具（図３９参照）に比べて簡単な構造により、ノック操作によりペン先を軸筒から突出させた際に、軸筒にクリップが収納されるノック式筆記具を提供することができる。
【発明の効果】
【００１８】
本発明によれば、ペン先の繰り出し操作にともない軸筒からクリップが出し入れされるノック式筆記具であって、長手方向の長さ寸法が大きい筆記体を搭載できるノック式筆記具を提供することができる。
【図面の簡単な説明】
【００１９】
【図１】本発明の第１実施形態のノック式筆記具の外観を示した斜視図である。
【図２】本発明の第１実施形態のノック式筆記具の側面を示した模式図である。
【図３】本発明の第１実施形態のノック式筆記具の縦断面を示した模式図である。
【図４】本発明の第１実施形態の軸筒を構成する後軸の斜視図である。
【図５】本発明の第１実施形態の軸筒を構成する後軸の側面を示した模式図である。
【図６】本発明の第１実施形態の軸筒を構成する後軸の縦断面を示した模式図である。
【図７】本発明の第１実施形態の繰り出し機構を構成する内筒の斜視図である。
【図８】本発明の第１実施形態の繰り出し機構を構成する内筒の縦断面を示した模式図である。
【図９】本発明の第１実施形態の繰り出し機構を構成する回転子の斜視図である。
【図１０】本発明の第１実施形態の繰り出し機構を構成する回転子の側面を示した模式図である。
【図１１】本発明の第１実施形態の繰り出し機構を構成する回転子の縦断面を示した模式図である。
【図１２】本発明の第１実施形態の繰り出し機構を構成する摺動子の斜視図である。
【図１３】本発明の第１実施形態の繰り出し機構を構成する摺動子の側面を示した模式図である。
【図１４】本発明の第１実施形態の繰り出し機構を構成する摺動子の縦断面を示した模式図である。
【図１５】本発明の第１実施形態の回転子及と摺動子の嵌合構造を説明するための模式図である。
【図１６】本発明の第１実施形態の繰り出し機構を構成するノック棒の斜視図である。
【図１７】本発明の第１実施形態の繰り出し機構を構成するノック棒の側面図である。
【図１８】本発明の第１実施形態の繰り出し機構を構成するノック棒を下方から見た模式図である。
【図１９】本発明の第１実施形態の繰り出し機構を構成するノック棒の断面を示した模式図である。
【図２０】本発明の第１実施形態のクリップを上方から見た斜視図である。
【図２１】本発明の第1実施形態のクリップを下方から見た斜視図である。
【図２２】本発明の第１実施形態のクリップの側面図である。
【図２３】本発明の第１実施形態のクリップの断面を示した模式図である。
【図２４】本発明の第１実施形態のクリップの平面図である。
【図２５】本発明の第１実施形態のペン先の出没動作に連動したクリップの収納動作を説明するための模式図である。
【図２６】本発明の第２実施形態のノック式筆記具の側面を示した模式図である。
【図２７】本発明の第２実施形態のノック式筆記具の縦断面を示した模式図である。
【図２８】本発明の第２実施形態のノック棒の斜視図である。
【図２９】本発明の第２実施形態のノック棒の断面を示した模式図である。
【図３０】本発明の第２実施形態のノック棒の側面図である。
【図３１】本発明の第２実施形態のクリップを上方から見た斜視図である。
【図３２】本発明の第２実施形態のクリップの側面図である。
【図３３】本発明の第２実施形態のクリップの断面を示した模式図である。
【図３４】本発明の第２実施形態のクリップの平面図である。
【図３５】本発明の第２実施形態のカバー部材の斜視図である。
【図３６】本発明の第２実施形態のカバー部材の平面図である。
【図３７】本発明の第２実施形態のカバー部材の断面を示した模式図である。
【図３８】本発明の第２実施形態のペン先の出没動作に連動したクリップの収納動作を説明するための模式図である。
【図３９】従来技術のノック式筆記具の縦断面を示した模式図である。
【発明を実施するための形態】
【００２０】
以下、本発明のノック式筆記具について図面に基づいて説明する。
先ず、本発明の第１実施形態のノック式筆記具の概略構成について図１乃至図３を用いて説明する。
図１は、本発明の第１実施形態のノック式筆記具の外観を示した斜視図である。また、図２は、本発明の第１実施形態のノック式筆記具の側面を示した模式図である。また、図３は、本発明の第１実施形態のノック式筆記具の縦断面を示した模式図である。なお、以下の説明では、筆記具１としてボールペンを示すが、あくまでもこれは一例である。
【００２１】
図示するように、第１実施形態のノック式筆記具（以下、単に「筆記具」という）１は、筆記具１の外郭を構成する軸筒１０と、軸筒１０の筒内に収納された筆記体２０（図３参照）と、筆記体２０のペン先を軸筒１０の先端から出没させる繰り出し機構３０と、軸筒１０の後端側の外周部に取り付けられたクリップ５０とを備えている。
なお、繰り出し機構３０は、軸筒の筒内の後端側に装着された回転カム機構と、軸筒１０の先端側に収納され且つ筆記体２０及び前記回転カム機構を後方に付勢する弾性体（コイルスプリング）３８（図３参照）とを備えている。
【００２２】
上記のように構成された筆記具１は、繰り出し機構３０を構成するノック棒３４が操作されてペン先側（図２、図３に示すＹ２方向に）に押し込まれると、筆記体２０のペン先が軸筒１０の先端から突出した筆記状態になると共に、前記ペン先の突出動作に連動して、クリップ５０の挟持部５２が軸筒１０の径方向内側に動作して軸筒１０に形成された収納口１１ａに収納されるようになっている。
また、筆記具１は、前記筆記状態において、ノック棒３４が操作されると（押圧されると）、筆記体２０のペン先が軸筒１０の内部に後退して収納されると共に、前記ペン先の後退動作に連動して、収納口１１ａに収納された挟持部５２が軸筒１０の径方向外側に動作して軸筒１０の収納口１１ａから突出する（飛び出す）ようになっている。
【００２３】
また、第１実施形態の筆記具１は、後段で詳細に説明するが、その後端側に設けた比較的に簡単な構成（クリップ５０を構成する基部５１の突起部５１ｃ及びノック棒３４のガイド溝３６）により、クリップ５０の挟持部５２を収納口１１ａから出し入れする機能を実現している。
そのため、第１実施形態の筆記具１によれば、上述した従来技術のノック式筆記具（図３９参照）のように筆記体の大きさ寸法の制約が少なく、インク充填量の多い比較的長い大きさ寸法の筆記体２０を搭載することが可能になる。
以下、第１実施形態の筆記具１の各構成を説明していく。
【００２４】
先ず、軸筒１０について、上述した図１乃至図３と、図４乃至図６とを用いて説明する。
なお、図４は、本発明の第１実施形態の軸筒を構成する後軸の斜視図である。また、図５は、本発明の第１実施形態の軸筒を構成する後軸の側面を示した模式図である。また、図６は、本発明の第１実施形態の軸筒を構成する後軸の縦断面を示した模式図である。
【００２５】
図１乃至図３に示すように、軸筒１０は、例えば、合成樹脂（例えば、ＰＣ（ポリカーボネート））等により形成され、両端が貫通した中空筒状の後軸１１と、後軸１１の一端（先端）に対して着脱自在に取り付けられた両端が貫通した中空筒状の先軸１２とを備えている。
また、先軸１２は、先端側において、外径が先端に向かって除々に縮径する口金部１２ａが形成され、その口金部１２ａの先端に開口１２ａ１（図３参照）が設けられている。
【００２６】
また、後軸１１は、図４乃至図６に示すように、その外周部の中腹部から後方にかけてクリップ５０の挟持部５２が収納可能な矩形状に凹んだ収納口（収納部）１１ａが形成されている。
また、後軸１１は、その前方側の内筒面に先軸１２の一端（後端の外周部）に形成されたネジ部１２ｂ（図３参照）と螺合するネジ部１１ｂ（図４、図６参照）が形成されている。
【００２７】
また、後軸１１は、後端側に他の部分よりも外径が小さい縮径部１１ｃが形成されていると共に、該他の部分と該縮径部１１ｃとの境界に段差部１１ｄが形成されている。また、縮径部１１ｃの外周側面には、周方向に沿って凸凹形状をなす凸凹部１１ｃ１が設けられている。
この凸凹部１１ｃ１は、縮径部１１の周方向に沿って延設された凸状部と、当該周方向に沿って延設された凹状部とが長手方向に沿って交互に連続して形成されたものであり、後述するクリップ５０の基部５１の内筒面に形成された凹凸部５１ｂ（図１６参照）と摺動自在に嵌合され、クリップ５０の径方向の移動を案内する役割を担っている。
また、段差部１１ｄには、クリップ５０の基部５１の前端部が載置されるようになっており、クリップ５０のペン先方向への移動を制限する役割を担っている。
【００２８】
次に筆記体２０について図３を用いて説明する。
筆記体（リフィール）２０は、筆記チップ２２と、インクが収納されるインク収納管２３とを備え、筆記チップ２２とインク収納管２３とが、この間に介在された継ぎ手部材２４によって連結されている。
そして、筆記体２０は、軸筒１０の筒内に収容されると、インク収納管２３の後端部が、繰り出し機構３０の回転子３２の一端部（前端部）に当接するようになっている。また、筆記体２０は、後述する繰り出し機構３０により、ペン先（筆記チップ２２の先端）が、先軸１２の口金部１２ａの先端に形成された開口１２ａ１から出没するようになっている。
【００２９】
次に繰り出し機構３０について上述した図３と、図７乃至図１９とを用いて説明する。
なお、図７は、本発明の第１実施形態の繰り出し機構を構成する内筒の斜視図である。また、図８は、本発明の第１実施形態の繰り出し機構を構成する内筒の縦断面を示した模式図である。
また、図９は、本発明の第１実施形態の繰り出し機構を構成する回転子の斜視図である。また、図１０は、本発明の第１実施形態の繰り出し機構を構成する回転子の側面を示した模式図である。また、図１１は、本発明の第１実施形態の繰り出し機構を構成する回転子の縦断面を示した模式図である。図１２は、本発明の第１実施形態の繰り出し機構を構成する摺動子の斜視図である。また、図１３は、本発明の第１実施形態の繰り出し機構を構成する摺動子の側面を示した模式図である。また、図１４は、本発明の第１実施形態の繰り出し機構を構成する摺動子の縦断面を示した模式図である。また、図１５は、本発明の第１実施形態の回転子及と摺動子の嵌合構造を説明するための模式図であり、図１５（ａ）は、回転子と摺動子とが嵌合した状態の縦断面を示した模式図であり、図１５（ｂ）は、回転子と摺動子とが嵌合した状態の外観側面を示した模式図である。
また、図１６は、本発明の第１実施形態の繰り出し機構を構成するノック棒の斜視図である。また、図１７は、本発明の第１実施形態の繰り出し機構を構成するノック棒の側面図である。また、図１８は、本発明の第１実施形態の繰り出し機構を構成するノック棒を下方から見た模式図である。また、図１９は、本発明の第１実施形態の繰り出し機構を構成するノック棒の断面を示した模式図である。
【００３０】
図３に示すように、繰り出し機構３０は、軸筒１０の後軸１１の筒内に装着された回転カム機構と、軸筒１０の先軸１２の筒内に収納され且つ筆記体２０及び前記回転カム機構を後方に付勢する弾性体（コイルスプリング）３８とを備えている。
また、前記回転カム機構は、後軸１１に内嵌固定された内筒３１と、内筒３１の筒内に摺動自在に挿入され且つ内筒３１に対して回転可能な回転子３２と、内筒３１の筒内に摺動自在に挿入され且つその前端部が回転子３２の後端部に嵌合している摺動子３３と、摺動子３３の後端に取り付けられ後軸１１の後端から突出したノック棒３４とを備えている。
なお、前記回転カム機構は、例えば、合成樹脂（例えば、ＰＣ（ポリカーボネート））等により形成され、前記弾性体３８は、例えば、金属等により形成される。
【００３１】
また、内筒３１は、図７及び図８に示すように、両端が貫通した中空筒状になされ、その外周部に、後軸１１の収納口（収納部）１１ａが挿嵌される矩形状に凹んだ凹部３１ａが形成されている。また、内筒３１は、筒内に回転子３２を前後可能に案内及び回転させるためのカム溝３１ｂ（図８参照）が設けられている。
また、前記カム溝３１ｂには、回転子３２に形成されたリブ３２ａ（図９及び図１０参照）及び摺動子３３に形成されたリブ３３ａ２（図１２〜図１４参照）に係合するようになっている。
【００３２】
また、回転子３２は、図９乃至図１１に示すように、両端が貫通した中空筒状になされ、その外周部に、前記カム溝３１ｂに係合するリブ３２ａが形成され、当該リブ３２ａの後端部（図中の上端部）には傾斜状になされたカム部３２ａ１が設けられている。
また、回転子３２は、後端部の近傍に、周方向に沿って凹んだ凹部３２ｂが形成されている。
【００３３】
また、摺動子３３は、図１２乃至図１４に示すように、後端が閉塞し且つ前端に開口孔３３ｃが形成された筒状部３３ａと、筒状部３３ａの後端面に立設している柱状部３３ｂとを備えている。
また、筒状部３３ａの前端面には、回転子３２に形成されたカム部３２ａ１と迎合するカム部３３ａ１が形成されている。また、筒状部３３ａの外周部に前記カム溝３１ｂに係合するリブ３３ａ２が形成されている。また、開口孔３３ｃの内筒面には、回転子３２の凹部３２ｂに摺動自在に嵌合される凸部３３ｃ１（図１４参照）が形成されている。
【００３４】
そして、回転子３２及び摺動子３３は、図１５に示すように、摺動子３３の前端の開口孔３３ｃに、回転子３２の後端が挿入され、且つ回転子３２の凹部３２ｂに凸部３３ｃ１を嵌合させた状態で、内筒３１の筒内に内装される（図３参照）。
このように、本実施形態では、摺動子３３の開口孔３３ｃの凸部３３ｃ１が回転子３２の凹部３２ｂに嵌合する構成により、例えばペン先側を上に向けたり、筆記具１を振った際にクリップ５０が開放されてしまうことを防止することができ、また、筆記体２０を交換する際、回転子３２が筆記具１から脱落することを防止している。
また、本実施形態では、摺動子３３の柱状部３３ｂの上端側に、凸部３３ｂ１が形成され、ノック棒３４の挿入部（挿入穴）３５に、当該柱状部３３ｂが遊嵌された際に、当該挿入部３５の内筒部に形成された凹部（図示せず）と嵌合するようになっている（これにより、ノック棒３４の脱落を防止している）。
【００３５】
また、図３、図１６、図１８及び図１９に示すように、ノック棒３４は、略柱状に形成され、その前端面（図１９に示す下側面）に、摺動子３３の柱状部３３ｂ（図１２参照）が遊挿される挿入部（挿入穴）３５が形成されている。
また、図１６乃至図１８に示すように、ノック棒３４は、その外周部の２面（一対の対向面）にガイド溝３６と直線溝３７が形成されている。このガイド溝３６と直線溝３７は、前方（前端側）と後方（後端３４ｂ側）で径方向に（軸筒１０の径方向において）離間された異なる位置に形成されている。
また、ガイド溝３６及び直線溝３７には、後述するクリップ５０の突起部５１ｃが摺動自在に挿嵌されるようになっている。そして、軸線と略並行に溝（直線溝３７）を形成することによって、摺動子３３と回転子３２との間にはノック動作に必要な隙間（ガタ）を設けており、筆記時においては突起部５１ｃが直線溝３７から外れることがないのでクリップの開放動作を防ぐことができる。また、筆記時における不意の振動等での予期せぬことでのクリップ開放動作を防ぐことが出来る。
【００３６】
具体的には、図１７に示すように、ガイド溝３６は、ノック棒３４の外周側面において、前端３４ａの一方側（図示するＲ側）の近傍から後端３４ｂに向けて長手方向（Ｙ方向）に所定の長さ延設され、その後、他方側（図示するＬ側）に向けて斜めに折れ曲がって進み、前記他方側（図示するＬ側）の近傍の位置まで到達するように形成されている。
また、直線溝３７は、ガイド溝３６の後端（図１７に示す後端）から長手方向（Ｙ方向）を上方に向けて進みノック棒３４の後端３４ｂの近傍の位置まで到達するように形成されている。
なお、ノック棒３６は、前端３４ａのガイド溝３６側（図示するＲ側）を後軸１１の収納口１１ａ側に配置させた上で、クリップ５０の開口部５０ａ及び後軸１１の筒内に挿入される。
これにより、前方（前端３４ａ側）のガイド溝３６は、後方（後端３４ｂ側）のガイド溝３６に比べて、軸筒１０の収納口１１（及び軸筒１０に取り付けられたクリップ５０の挟持部５１）からの径方向の距離寸法が小さい位置に形成されるようになる。
【００３７】
次にクリップ５０の構成について、上述した図３と、図２０乃至図２４とを用いて説明する。
なお、図２０は、本発明の第１実施形態のクリップを上方から見た斜視図である。また、図２１は、本発明の第１実施形態のクリップを下方から見た斜視図である。また、図２２は、本発明の第１実施形態のクリップの側面図である。また、図２３は、本発明の第１実施形態のクリップの断面を示した模式図である。また、図２４は、本発明の第１実施形態のクリップの平面図である。
【００３８】
図示するように、クリップ５０は、後軸１１の後端部に、該後軸１１の径方向に対して移動可能に外嵌支持される基部５１と、基部５１の一端から延びる挟持部５２を有している。また、基部５１は、略楕円筒状になされていると共に、その両端を貫通する楕円状の開口部５１ａが形成されている。
なお、基部５１の開口部５１ａは、ノック棒３４が挿入可能な大きさであり、且つノック棒３４が挿入された場合に、クリップ５０が径方向に移動できるように、開口部５１ａの内筒面とノック棒３４の外周面との間に、所定の隙間が形成される大きさになされている。また、基部５１は、後軸１１の後端側に外嵌された場合に、自身の後端部が後軸１１の後端部よりも後方に配置されるようになっている。
【００３９】
また、前記開口部５１ａの内筒面の前端側（図２３に示す下側）には、後軸１１の縮径部１１ｃの外周部に形成された凸凹部１１ｃ１に摺動自在に嵌合する凹凸部５１ｂが設けられている。なお、前記凹凸部５１ｂは、基部５１の周方向に沿って延びる凹状部と、当該周方向に沿って延びる凸状部とが長手方向に沿って交互に連続して形成された構成になっている。
【００４０】
そして、基部５１の開口部５１ａに、後軸１１の縮径部１１ｃが遊嵌され、且つ基部５１の前端部（図２３における下側の端部）が後軸１１の段差部１１ｄに載置されることにより、後軸１１にクリップ５０が支持されるようになっている。
また、後軸１１の段差部１１ｄにクリップ５０が支持された状態において、基部５１の開口部５１ａの凹凸部５１ｂが、縮径部１１ｃの凸凹部１１ｃ１に摺動自在に嵌合されるようになっている。
なお、上記のようにクリップ５０が後軸１１の縮径部１１ｃに支持された場合には、挟持部５２が後軸１１に形成された収納口１１ａに相対向して配置されるようになされている（図３参照）。
【００４１】
また、基部５１の開口部５１ａの内筒面の後端側（図１６に示す上端側）には、ノック棒３４の外周部に形成されたガイド溝３６及び直線溝３７に摺動自在に挿嵌される突起部５１ｃが形成されている（この突起部５１ｃは、後軸１１の後端よりも後方側に配置されている）。
なお、後軸１１の段差部１１ｄに支持されたクリップ５０の開口部５１ａに、ノック棒３４を挿通する場合には、前端３４ａのガイド溝３６側（図１７に示すＲ側）を後軸１１の収納口１１ａ側に向けた上で、当該ノック棒３４を挿通すると共にガイド溝３６に突起部５１ｃを挿嵌させるようになっている。
【００４２】
上記構成により、ノック棒３４を軸筒１０の長手方向に動作させることで、クリップ５０の基部５１の突起部５１ｃとノック棒３４のガイド溝３６（及び直線溝３７）とを摺動させることができ、これにより軸筒１０の径方向にクリップ５０を動作させることができる（すなわち、ガイド溝３６（及び直線溝３７）が、軸筒１０の径方向において異なる位置に形成されているため、突起部５１ｃをガイド溝３６（及び直線溝３７）に沿ってスライドさせることで、当該径方向にクリップ５０を動作させることができる）。
なお、第１実施形態では、前記開口部５１ａの内筒面に２つの突起部５１ｃを形成させ、クリップ５０の外周部の２面に形成されたガイド溝３６（及び直線溝３７）に対応させているが、突起部５１の数は一例に過ぎず特に限定されるものではない。
【００４３】
つぎに、第１実施形態の動作について図２５を用いて説明する。
ここで、図２５は、本発明の第１実施形態のペン先の出没動作に連動したクリップの収納動作を説明するための模式図であり、図２５（ａ）は、筆記具１のペン先が軸筒１０に収納されたペン先収納状態を示した模式図であり、図２５（ｂ）は、筆記具１のペン先が軸筒１０から繰り出されている最中の状態を示した模式図であり、図２５（ｃ）は、筆記具１のペン先が軸筒１０から突出した筆記状態を示した模式図である。
【００４４】
具体的には、図２５（ａ）に示す「ペン先収納状態」の筆記具1に対して、ユーザがノック棒３４を操作し（押圧前進させ）、ペン先側（図２５に示すＹ２方向に）に押し込むと、図２５（ｂ）〜図２５（ｃ）に示すように、ガイド溝３６に挿通されたクリップ５０の突起部５１ｃがガイド溝３６に沿ってスライドする。なお、クリップ５０は、後軸１１に形成された段差部１１ｄに、基部５１の前端部が載置されているため、クリップ５０がノック棒２４と共に、ペン先側（図２５に示すＹ２方向に）に動作することはない。
そして、上記突起部５１ｃがガイド溝３６をスライド（摺動）することにより、突起部５１ｃと一体のクリップ５０が、軸筒１０の径方向内側（図２５に示すＸ１方向）に向けて動作する。また、前記の動作にしたがい、クリップ５０の挟持部５２は、収納口１１ａに向かって（収納される方向）に移動する。
【００４５】
そして、第１実施形態では、ノック棒３４が、筆記状態（先軸１２からペン先（筆記チップ２２の先端部）が繰り出された状態）になるまで押し込まれると、図２５（ｃ）に示すように、クリップ５０の挟持部５２が収納口１１ａに収納されるようになっている。また、突起部５１ｃは、ガイド溝３６から直線溝３７に移動するようになっている。
この場合、繰り出し機構３０を構成する内筒３１のカム溝３１ｂ（図８参照）に回転子３２及び摺動子３３に形成されたリブ（リブ３２ａ、リブ３３ａ２）が係合するようになっており、前記筆記状態が維持される。
また、回転子３２と摺動子３３とは、互いに嵌合しており容易に外れないようになっている。このように嵌合することで例えばペン先側を上に向けたり、筆記具１を振った際にクリップ５０が開放されてしまうことを防止することができ、また、筆記体２０を交換する際、回転子３２が筆記具１から脱落することを防ぐことができる。
なお、繰り出し機構３０によるペン先の繰り出し動作は、周知技術と同じであるため、詳細な説明を省略する。
【００４６】
一方、図２５（ｃ）に示す「筆記状態」の筆記具１に対して、ユーザがノック棒３４を操作（押圧前進）させると、繰り出し機構３０の回転子３２及び摺動子３３が回転してカム溝３１ｂの係止から解除される。
また、繰り出し機構３０は、前記カム溝３１ｂの係止から解除されると、前記弾性体３８により後方側（Ｙ１方向）に付勢されて筆記体２０と共に後退していき（Ｙ１方向に移動して）、図２５（ｃ）の筆記状態から図２５（ｂ）の状態を経て、図２５（ａ）の「ペン先収納状態」に戻るようになっている。
【００４７】
また、上記の「筆記状態」から「ペン先収納状態」に動作する過程において、直線溝３７に挿通されたクリップ５０の突起部５１ｃがガイド溝３６に移動すると共に当該ガイド溝３６に沿ってスライドし、これにより、突起部５１ｃと一体のクリップ５０が、軸筒１０の径方向外側（図２５に示すＸ２方向）に向けて動作する。すなわち、前記の動作にしたがい、クリップ５０の挟持部５２は、収納口１１ａから離れる方向（飛び出す方向）に移動する。
そして、第１実施形態では、図２５（ａ）に示す「ペン先収納状態」になると、クリップ５０は、その挟持部５２が収納口１１から飛び出した状態（突出した状態）で、ノック棒３４及び後軸１１に支持されるようになっている。
【００４８】
このように、第１実施形態の筆記具１は、図２５（ｃ）に示すように、筆記体２０のペン先を突出させた筆記状態になされている場合には、クリップ５０の挟持部５２が収納口１１ａに収納されるようになっているため、クリップ５０が筆記の邪魔になることがない。
また、第１実施形態の筆記具１は、筆記状態になされている場合、クリップ５０の挟持部５２が収納口１１ａに収納されるため、筆記体１を回転させるときにクリップ５０が手に当たらないのでペン回しが容易になることと、筆記するときにクリップ５０が手に当たらないので筆記体１の位置を気にせずに筆記できる。更に基部５１の挟持部５２との他方側が軸筒１０の外周面から突出することで筆記体１の転がりを防止することができる。
また、第１実施形態の筆記具１は、ペン先を軸筒１０内に収納したペン先収納状態にしたときには、クリップ５０の挟持部５２が収納口１１ａから飛び出した（突出した）状態になるため、手帳や衣服のポケット等に挟持部５２を引っかけて、衣服のポケットや手帳に挟むことできる。
【００４９】
また、第１実施形態においては、上述したように、クリップ５０の開口部５１ａの凹凸部５１ｂが、縮径部１１の凸凹部１１ｃ１に摺動自在に嵌合されているため、クリップ５０を、前記径方向（Ｘ１、Ｘ２方向）に対してスムーズに動作させることができる。
また、第１実施形態によれば、１箇所の押し部材（ノック棒３４）の操作により、ペン先の出没動作及びクリップ５０の収納動作が行われるため、操作性が簡単な筆記具１を提供することができる。
【００５０】
また、第１実施形態の筆記具１は、その後端側に設けた簡単な構成（クリップ５０を構成する基部５１の突起部５１ｃ及びノック棒３４のガイド溝３６）により、クリップ５０の挟持部５２を軸筒１０に形成された収納口１１ａから出し入れさせるようにしている。
すなわち、第１実施形態によれば、上述した従来技術のノック式筆記具（図３９参照）と比べて、クリップ５０の挟持部５２を軸筒１０の収納口１１ａから出し入れさせるための構成を小さくなすことができるため、軸筒１０に所望の大きさの筆記体２０を収納することが可能になる。
したがって、第１実施形態によれば、例えば、筆記体２０がボールペンリフィールである場合に、インク充填量の多い比較的長い筆記体２０を搭載することが可能になる。
【００５１】
次に、本発明の第２実施形態のノック式筆記具２について説明する。
第２実施形態のノック式筆記具２は、上述した第１実施形態の構成の一部を変形したものであり、その機能は第１実施形態と同じである。そのため、第２実施形態の説明では、第１実施形態のものと同じ構成及び相当する構成については、同じ符号を付けて説明する。
【００５２】
先ず、第２実施形態のノック式筆記具２の概略構成について図２６及び図２７を用いて説明する。
なお、図２６は、本発明の第２実施形態のノック式筆記具の側面を示した模式図である。また、図２７は、本発明の第２実施形態のノック式筆記具の縦断面を示した模式図である。
【００５３】
図示するように、第２実施形態のノック式筆記具（ボールペン）２は、軸筒１０と、軸筒１０の筒内に収納された筆記体２０（図２７参照）と、筆記体２０のペン先を軸筒１０の先端から出没させる繰り出し機構３０と、軸筒１０の後端側の外周部に取り付けられたクリップ７０及びカバー部材８０とを備えている。
【００５４】
具体的には、第２実施形態のノック式筆記具２は、第１実施形態における「クリップ５０（図２参照）」が「クリップ７０及びカバー部材８０」の２部品に変更された点と、第１実施形態における「繰り出し機構３０のノック棒３４（図２参照）」が「繰り出し機構３０のノック棒６０」に変更された点以外は、第１実施形態と同じ構成になっている。
そのため、以下では、第１実施形態と異なる構成だけを説明する。
【００５５】
先ず、ノック棒６０の構造について図２８乃至図３０を用いて説明する。
なお、図２８は、本発明の第２実施形態のノック棒の斜視図である。また、図２９は、本発明の第２実施形態のノック棒の断面を示した模式図である。また、図３０は、本発明の第２実施形態のノック棒の側面図である。
【００５６】
図２８乃至図３０に示すように、ノック棒６０は、第１実施形態と同様、略柱状に形成され、その前端面（図２９に示す下側面）に、摺動子３３の後端部が遊挿される挿入部（挿入穴）６３が形成されている。
また、図２８乃至図３０に示すように、ノック棒６０は、その外周部の２面（一対の対向面）にガイド溝６１（６１ａ、６１ｂ）及び直線溝６２が形成され、このガイド溝６１及び直線溝６２に、後述するクリップ７０の突起部７１ｃが摺動自在に挿嵌されるようになっている。
なお、ガイド溝６１は、一方側が、突起部７１ｃとの接触する接触面（６１ａ１、６１ｂ１）になっている。
【００５７】
ここで、ガイド溝は、第１実施形態のガイド溝３６及び直線溝３７と形状が異なるが、第１実施形態のガイド溝３６に該当する部分がガイド溝６１であり、第１実施形態の直線溝３７に該当する部分が直線溝６２にあたるため、第１実施形態と同様の機能を果たすようになっている。
なお、第２実施形態では、ノック棒６０の一方面に形成された「ガイド溝６１及びガイド溝６２」と、ノック棒６０の他方面に形成された「ガイド溝６１及びガイド溝６２」とが上下反転した形状になっているが、特にこれに限定されるものではない。
ガイド溝６１及び直線溝６２は、クリップ７０の突起部７１ｃをスライドさせることで、クリップ７０を径方向に動作させて収納口１１ａからの出し入れ動作を案内できるようになっていればどのような形状であってもよい。
【００５８】
次に、クリップ７０の構成について、上述した図２７と、図３１乃至図３４とを用いて説明する。
なお、図３１は、本発明の第２実施形態のクリップを上方から見た斜視図である。また、図３２は、本発明の第２実施形態のクリップの側面図である。また、図３３は、本発明の第２実施形態のクリップの断面を示した模式図である。また、図３４は、本発明の第２実施形態のクリップの平面図である。
【００５９】
図示するように、クリップ７０は、略楕円筒状になされ且つ両端を貫通する楕円状の開口部７１ａを有する基部７１と、基部７１の一端から延びる板状に形成された挟持部７２とを備えている。また、基部７１の開口部７１ａの内筒面には、ノック棒６０の外周部に形成されたガイド溝６１に摺動自在に挿通される長円状の突起部７１ｃが形成されている。突起部７１ｃを長円状に形成することで出没動作時におけるノック棒６０との繰り返し摩耗を防止と耐折れ性能の向上を図ることが出来る。
なお、基部７１の開口部７１ａは、ノック棒６０が挿入可能な大きさに形成されている。また、開口部７１ａは、ノック棒６０が挿入された場合に、クリップ７０が径方向に動作ができるように、開口部７１ａの内筒面と、ノック棒６０の外周部との間に所定の隙間が形成されるようになされている。
【００６０】
そして、クリップ７０は、その基部７１が後軸１１の後端に取り付けられたカバー８０の側面孔８２（後述する図２８参照）に挿通され、さらに、基部７１の貫通孔７１ａにノック棒６０が挿通され且つガイド溝６１に、開口部７１の突起部７１ｃが挿嵌されて、後軸１１に取付けられるようになっている。
【００６１】
次に、カバー部材８０の構成について、上述した図２７と、図３５乃至図３７とを用いて説明する。
なお、図３５は、本発明の第２実施形態のカバー部材の斜視図である。また、図３６は、本発明の第２実施形態のカバー部材の平面図である。図３７は、本発明の第２実施形態のカバー部材の断面を示した模式図である。
【００６２】
図示するように、カバー部材８０は、略円筒状になされ且つ両端を貫通する略楕円状の開口部８１を備え、後端８０ａ側の側面部に、クリップ７０の基部７１を挿通させるための貫通孔８２が形成されている。
また、カバー部材８０は、前記貫通孔８２と相対向している側面の領域に切り欠き８０ｃが形成されている（クリップ７０の挟持部７２の径方向の動作を妨げないようにしている）。
【００６３】
また、カバー部材８０の内筒面の前端側（図３７に示す下端側）には、後軸１１の凸凹部１１ｃ１の外周部の凸凹形状に嵌合する固定部８０ｂが設けられている。
そして、カバー部材８０は、その前端部（図３０に示す下端部）が、後軸１１の段差部１１ｄに載置されると共に、後軸１１の凸凹部１１ｃ１に固定部８０ｂが嵌合して固定されることにより、後軸１１に取り付けられる。
【００６４】
つぎに、第２実施形態の動作について図３８を用いて説明する。
ここで、図３８は、本発明の第２実施形態のペン先の出没動作に連動したクリップの収納動作を説明するための模式図であり、図３８（ａ）は、第２実施形態のノック式筆記具２のペン先が軸筒１０に収納されたペン先収納状態を示した模式図であり、図３８（ｂ）は、第２実施形態の筆記具１のペン先が軸筒１０から繰り出しされている最中の状態を示した模式図であり、図３８（ｃ）は、第２実施形態の筆記具１のペン先が軸筒１０から突出した筆記状態を示した模式図である。
【００６５】
具体的には、図３８（ａ）に示す「ペン先収納状態」のノック式筆記具２に対して、ユーザがノック棒６０を操作し（押圧前進させ）、ペン先側（図３１に示すＹ２方向に）に押し込むと、図３８（ｂ）の状態を経て、図３８（ｃ）に示す「筆記状態」に遷移する。
そして、上記の「ペン先収納状態」から「筆記状態」へのペン先の突出動作に連動して、ガイド溝６１に挿通されたクリップ７０の突起部７１ｃがガイド溝６１と摺動する。
これにより、突起部７１ｃと一体のクリップ７０が、軸筒１０の径方向内側（図３８に示すＸ１方向）に向けて動作する。また、前記の動作にしたがい、クリップ７０の挟持部７２は、収納口１１ａに向かって（収納される方向）に移動する。
そして、第２実施形態においても、上述した第１実施形態と同様、ノック棒６０が、筆記状態になるように押し込まれると、図３８（ｃ）に示すように、クリップ７０の挟持部７２が収納口１１ａに収納されるようになる。なお、この場合、クリップ７０の基部７１の一端部が、カバー部材８０の貫通孔８２から飛び出すようになっている。
【００６６】
また、第２実施形態においても、第１実施形態と同様、図３８（ｃ）に示す「筆記状態」の筆記具１に対して、ユーザがノック棒３４を操作（押圧前進）させると、当該「筆記状態」から図３８（ａ）に示す「ペン先収納状態」に戻るようになっている。
また、第２実施形態においても、第１実施形態と同様、図３８（ｃ）の「筆記状態」から図３８（ａ）に示す「ペン先収納状態」に動作する過程において、ガイド溝６１に挿通されたクリップ７０突起部７１ｃがガイド溝６１に沿ってスライドし、これにより、突起部７１ｃと一体のクリップ７０が、軸筒１０の径方向外側（図３８に示すＸ２方向）に向けて動作して、挟持部７２が、収納口１１ａから離れる方向（飛び出す方向）に移動する。
そして、図３８（ａ）に示す「ペン先収納状態」になると、クリップ７０は、その挟持部７２が収納口１１から飛び出した状態（突出した状態）で、ノック棒６０及び後軸１１に支持されるようになる。
【００６７】
以上、説明したように本発明の第２実施形態においても、上述した第１実施形態と同様、ペン先の出没動作に連動させて、クリップ７０の挟持部７１を軸筒１０の収納口１１ａに出し入れするノック式筆記具を提供することができる。
また、第２実施形態においても、第１実施形態と同様、上述した従来技術のノック式筆記具（図３９参照）と比べて、クリップ７０の挟持部７２を軸筒１０の収納口１１ａから出し入れさせるための構成を小さくなすことができるため、軸筒１０に所望の大きさの筆記体２０を収納することが可能になる。
なお、本発明は、上述した実施形態に限定されるものではなく、その要旨の範囲内において種々の変形が可能である。
【００６８】
例えば、上述した実施形態では、筆記具１がボールペンである例を示したが、軸筒内に収容されるインク等の液体を収容する収納管を有するリフィールを備えた筆記具（例えば、化粧液の塗布具）であれば本発明を適用することができる。
【符号の説明】
【００６９】
１、２    ノック式筆記具
１０    軸筒
１１    後軸
１１ａ    収納口（後軸）
１１ｂ    ネジ部（後軸）
１１ｃ    縮径部（後軸）
１１ｃ１    凸凹部（縮径部（後軸））
１１ｄ    段差部（後軸）
１２    先軸
１２ａ    口金部（先軸）
１２ａ１    開口（先軸）
１２ｂ    ネジ部（先軸）
２０    筆記体
２２    筆記チップ（筆記体）
２３    インク収納管（筆記体）
２４    継ぎ手部材（筆記体）
３０    繰り出し機構
３１    内筒（繰り出し機構）
３１ａ    凹部（内筒（繰り出し機構））
３１ｂ    カム溝（内筒（繰り出し機構））
３２    回転子（繰り出し機構）
３２ａ    リブ（回転子（繰り出し機構））
３２ａ１    カム部（回転子（繰り出し機構））
３２ｂ    凹部（回転子（繰り出し機構））
３３    摺動子（繰り出し機構）
３３ａ    筒状部（摺動子（繰り出し機構））
３３ａ１    カム部（摺動子（繰り出し機構））
３３ａ２    リブ（摺動子（繰り出し機構））
３３ｂ    柱状部（摺動子（繰り出し機構））
３３ｂ１    凸部（摺動子（繰り出し機構））
３３ｃ    開口孔（摺動子（繰り出し機構））
３３ｃ１    凸部（摺動子（繰り出し機構））
３４    ノック棒（繰り出し機構）
３５    挿入部（ノック棒（繰り出し機構））
３６    ガイド溝（ノック棒（繰り出し機構））
３７    直線溝（ノック棒（繰り出し機構））
３８    弾性体（繰り出し機構）
５０    クリップ
５１    基部（クリップ）
５１ａ    開口部（基部（クリップ））
５１ｂ    凹凸部（基部（クリップ））
５１ｃ    突起部（基部（クリップ））
５２    挟持部（クリップ）
６０    ノック棒
６１、６１ａ、６１ｂ    ガイド溝（ノック棒）
６２    直線溝（ノック棒）
７０    クリップ
７１    基部
７１ａ    開口部（基部（クリップ））
７１ｃ    突起部（基部（クリップ））
７２    挟持部（クリップ）
８０    カバー部材
８０ｂ    固定部（カバー部材）
８０ｃ  切り欠き（カバー部材）
８１    開口部（カバー部材）
８２    貫通孔（カバー部材）
【図１】
0005629112.tif 000002
【図２】
0005629112.tif 000003
【図３】
0005629112.tif 000004
【図４】
0005629112.tif 000005
【図５】
0005629112.tif 000006
【図６】
0005629112.tif 000007
【図７】
0005629112.tif 000008
【図８】
0005629112.tif 000009
【図９】
0005629112.tif 000010
【図１０】
0005629112.tif 000011
【図１１】
0005629112.tif 000012
【図１２】
0005629112.tif 000013
【図１３】
0005629112.tif 000014
【図１４】
0005629112.tif 000015
【図１５】
0005629112.tif 000016
【図１６】
0005629112.tif 000017
【図１７】
0005629112.tif 000018
【図１８】
0005629112.tif 000019
【図１９】
0005629112.tif 000020
【図２０】
0005629112.tif 000021
【図２１】
0005629112.tif 000022
【図２２】
0005629112.tif 000023
【図２３】
0005629112.tif 000024
【図２４】
0005629112.tif 000025
【図２５】
0005629112.tif 000026
【図２６】
0005629112.tif 000027
【図２７】
0005629112.tif 000028
【図２８】
0005629112.tif 000029
【図２９】
0005629112.tif 000030
【図３０】
0005629112.tif 000031
【図３１】
0005629112.tif 000032
【図３２】
0005629112.tif 000033
【図３３】
0005629112.tif 000034
【図３４】
0005629112.tif 000035
【図３５】
0005629112.tif 000036
【図３６】
0005629112.tif 000037
【図３７】
0005629112.tif 000038
【図３８】
0005629112.tif 000039
【図３９】
0005629112.tif 000040